(57)【特許請求の範囲】
【請求項１】
冷凍サイクルを運転する圧縮機を機械室のベースフレーム上に設置する冷蔵庫において、前記圧縮機と一体に設けられる支持部と、挿通孔を有して前記ベースフレーム上に配されるとともに前記支持部に嵌合する嵌合部を外周面に有する弾性部材と、前記挿通孔に内接する内接部を底部に有するとともに前記内接部よりも上方で前記挿通孔の内面との間に隙間を形成するように前記挿通孔に挿通されるスリーブと、前記挿通孔の上方を覆って前記弾性部材を抜け止めする抜け止め部材と、前記ベースフレームに設けた孔部及び前記スリーブに挿通して前記スリーブを前記ベースフレーム上に取り付けるボルトとを備えており、
前記嵌合部は前記内接部よりも上方で前記隙間が形成されている高さに位置しており、前記弾性部材が前記嵌合部の鉛直下方で前記嵌合部と前記ベースフレームとの間を中実に形成されることを特徴とする冷蔵庫。
【請求項２】
前記挿通孔の下端部が断面円形に形成され、前記内接部となる前記スリーブの外周面が断面多角形から成っていて、前記多角形の頂点が前記挿通孔の内面に内接することを特徴とする請求項１に記載の冷蔵庫。
【請求項３】
前記弾性部材が前記挿通孔の内壁上で前記隙間に対向する部分の下端から、鉛直下方に前記ベースフレームまで中実に形成されることを特徴とする請求項１または請求項２に記載の冷蔵庫。
【発明の詳細な説明】
【技術分野】
【０００１】
本発明は、圧縮機を備えた冷蔵庫に関し、特に、圧縮機の支持構造に関する。
【背景技術】
【０００２】
従来の冷蔵庫は特許文献１に開示されている。この冷蔵庫は断熱箱体の下方に機械室を有し、機械室内に圧縮機が設置される。図６は圧縮機の支持構造を示す側面断面図である。圧縮機（不図示）の周面には取付用の支持部１１が突設される。機械室の底面はベースフレーム９により形成され、ベースフレーム９には孔部９ａが設けられている。
【０００３】
ベースフレーム９上にはゴム等から成る弾性部材１７が配される。弾性部材１７は上下方向に貫通する挿通孔１７ａを有した筒状に形成され、外周面に嵌合部１７ｂが設けられる。嵌合部１７ｂには圧縮機の支持部１１に設けた孔部１１ａが嵌合する。弾性部材１７には内周側が開放された空洞部１７ｃが嵌合部１７ｂの下方に形成される。空洞部１７ｃによって弾性部材１７による振動吸収をより大きくすることができる。
【０００４】
挿通孔１７ａ内には樹脂成形品から成るスリーブ１９が挿通される。スリーブ１９内には下方からベースフレーム９の孔部１９ａを介してボルト２１が挿通される。ボルト２１の上端はワッシャー２２を介してナット２３が螺合され、スリーブ１９がベースフレーム９に取り付けられる。これにより、圧縮機がベースフレーム９上に固定され、弾性部材１７によって圧縮機の振動が吸収される。
【０００５】
尚、ワッシャー２２は弾性部材１７の挿通孔１７ａよりも大径に形成され、弾性部材１７を抜け止めする。また、スリーブ１９は挿通孔１７ａの内面に密着して弾性部材１７を位置決めし、冷蔵庫の搬送時等の圧縮機の移動を防止することができる。
【先行技術文献】
【特許文献】
【０００６】
【特許文献１】実開平５−２５２８０号（第６頁−第８頁、第４図）
【発明の概要】
【発明が解決しようとする課題】
【０００７】
しかしながら、上記従来の冷蔵庫によると、スリーブ１９が弾性部材１７に密接するため、圧縮機の振動が弾性部材１７及びスリーブ１９を介してベースフレーム９に伝達される。これにより、冷蔵庫が振動が依然として発生する問題があった。
【０００８】
本発明は、圧縮機による振動を低減できる冷蔵庫を提供することを目的とする。
【課題を解決するための手段】
【０００９】
上記目的を達成するために本発明は、冷凍サイクルを運転する圧縮機を機械室のベースフレーム上に設置する冷蔵庫において、前記圧縮機と一体に設けられる支持部と、挿通孔を有する筒状に形成して前記ベースフレーム上に配されるとともに前記支持部に嵌合する嵌合部を外周面に有する弾性部材と、前記挿通孔に内接する内接部を底部に有して前記挿通孔に挿通されるとともに前記内接部よりも上方で縮径して前記挿通孔の内面との間に隙間を形成するスリーブと、前記挿通孔の上方を覆って前記弾性部材を抜け止めする抜け止め部材と、前記ベースフレームに設けた孔部及び前記スリーブに挿通して前記スリーブを前記ベースフレーム上に取り付けるボルトとを備えたことを特徴としている。
【００１０】
この構成によると、ベースフレーム上に弾性部材が配され、弾性部材の嵌合部に圧縮機の支持部が嵌合する。弾性部材の挿通孔にスリーブが挿通される。スリーブにはベースフレームの孔部を介してボルトが挿通され、ワッシャー等の抜け止め部材を介してボルトがナット等に螺合される。これにより、スリーブがベースフレーム上に固定される。圧縮機の振動は支持部を介して弾性部材に伝えられ、弾性部材により吸収される。スリーブの底部に設けられる内接部よりも上方と弾性部材との間には隙間が形成され、弾性部材を介してスリーブに伝えられる振動が低減される。また、スリーブの底部に設けられる内接部により搬送時等の圧縮機の移動が防止されるとともに、搬送時の横揺れによる弾性部材の座屈が防止される。
【００１１】
また本発明は、上記構成の冷蔵庫において、前記挿通孔の下端部が断面円形に形成され、前記内接部の外周面が断面多角形から成ることを特徴としている。
【００１２】
また本発明は、上記構成の冷蔵庫において、前記弾性部材がゴムから成り、前記弾性部材のゴム硬度（デュロメータ  タイプＡ）が４０度以下であることを特徴としている。
【００１３】
また本発明は、上記構成の冷蔵庫において、前記弾性部材の前記挿通孔と外周面との間を中実にしたことを特徴としている。
【発明の効果】
【００１４】
本発明によると、弾性部材の挿通孔に挿通されるスリーブの底部の内接部が挿通孔に内接して内接部よりも上方で挿通孔との間に隙間が形成されるので、圧縮機の振動が弾性部材により吸収されるとともに弾性部材を介してスリーブに伝えられる振動を低減することができる。従って、冷蔵庫の振動を低減することができる。また、内接部によって搬送時等の圧縮機の移動を防止することができるとともに、搬送時の横揺れによる弾性部材の座屈を防止することができる。
【図面の簡単な説明】
【００１５】
【図１】本発明の実施形態の冷蔵庫を示す斜視図
【図２】本発明の実施形態の冷蔵庫の下部を示す側面断面図
【図３】本発明の実施形態の冷蔵庫の圧縮機の支持構造を示す側面断面図
【図４】本発明の実施形態の冷蔵庫の圧縮機の支持構造のスリーブを示す底面図
【図５】本発明の実施形態の冷蔵庫の圧縮機の支持構造の他のスリーブを示す底面図
【図６】従来の冷蔵庫の圧縮機の支持構造を示す側面断面図
【発明を実施するための形態】
【００１６】
以下に本発明の実施形態を図面を参照して説明する。説明の便宜上、前述の図６に示す従来例と同一の部分は同一の符号を付している。図１は一実施形態の冷蔵庫の斜視図を示している。冷蔵庫１は断熱箱体２により複数の貯蔵室６が区画される。各貯蔵室６の前面は断熱扉（不図示）により開閉される。
【００１７】
図２は冷蔵庫１の下部を示す側面断面図である。断熱箱体２は樹脂成形品から成る外箱３と内箱４との間に発泡断熱材５を充填して形成される。断熱箱体２の下方には冷凍サイクルを運転する圧縮機１０を設置する機械室７が設けられる。機械室７は断熱箱体２に取り付けられるベースフレーム９により底面が形成され、背面板８により背面が覆われる。圧縮機１０は外周面の底部から突出する支持部１１が一体に形成されている。
【００１８】
図３は圧縮機１０の支持構造を示す側面断面図である。ベースフレーム９にはボルト２１を挿通する孔部９ａが設けられる。ベースフレーム９上にはゴム等から成る弾性部材１７が配される。弾性部材１７は上下方向に貫通する断面円形の挿通孔１７ａを有した筒状に形成され、嵌合部１７ｂが外周面に凹設される。嵌合部１７ｂには圧縮機１０（図１参照）の支持部１１に設けた孔部１１ａが嵌合する。
【００１９】
挿通孔１７ａ内には樹脂成形品から成るスリーブ１９が挿通される。スリーブ１９の底部は挿通孔１７ａに内接する内接部１９ａが形成され、内接部１９ａの上方には内接部１９ａに対して縮径された縮径部１９ｂが形成される。これにより、縮径部１９ｂと挿通孔１７ａの内面との間には隙間２０が形成される。
【００２０】
図４はスリーブ１９の底面図を示している。スリーブ１９内には下方からベースフレーム９の孔部１９ａを介してボルト２１が挿通される。縮径部１９ｂの内面は断面円形に形成され、ボルト２１の挿入作業がスムーズに行えるようにボルト２１との間に径方向に１ｍｍ程度の隙間Ｗが設けられる。内接部１９ａの外面は縮径部１９ｂと同心の断面円形に形成される。
【００２１】
尚、図５に示すように、内接部１９ａを断面多角形に形成してもよい。これにより、内接部１９ａと挿通孔１７ａとが線接触し、両者の接触面積を小さくすることができる。
【００２２】
スリーブ１９に挿通されたボルト２１の上端はワッシャー２２（抜け止め部材）を介してナット２３が螺合され、スリーブ１９がベースフレーム９に取り付けられる。これにより、圧縮機１０がベースフレーム９上に固定され、弾性部材１７によって圧縮機１０の振動が吸収される。
【００２３】
ワッシャー２２は弾性部材１７の挿通孔１７ａよりも大径に形成されて挿通孔１７ａを覆い、弾性部材１７を抜け止めする。ナット２３の底面が挿通孔１７ａよりも大径の場合はワッシャー２２を省いてナット２３を抜け止め部材としてもよい。
【００２４】
また、ボルト２１を上方から挿通してベースフレーム９の下面にナット２３を配してもよい。この時、ボルト２１の底面が挿通孔１７ａよりも大径の場合はワッシャー２２を省いてボルト２１を抜け止め部材としてもよい。加えて、ベースフレーム９の孔部９ａに雌ネジを形成してナット２３を省いてもよい。
【００２５】
本実施形態ではワッシャー２２を支持部１１の孔部１１ａよりも大径に形成している。これにより、搬送時の衝撃等によって支持部１１が嵌合部１７ｂから外れても支持部１１を抜け止めし、圧縮機１０の脱落を防止することができる。
【００２６】
上記構成の冷蔵庫１において、圧縮機１０の駆動による振動は支持部１１を介して弾性部材１７に伝達され、弾性部材１７により吸収される。弾性部材１７とスリーブ１９とは底部の内接部１９ａで接触し、内接部１９ａよりも上方の縮径部１９ｂで隙間２０が設けられる。このため、弾性部材１７の上下方向及び左右方向の変形量を大きく確保できるとともに弾性部材１７とスリーブ１９との接触面積を少なくできる。これにより、弾性部材１７からスリーブ１９に伝達される振動が低減され、スリーブ１９及びベースフレーム９を介した冷蔵庫１の振動を低減することができる。
【００２７】
また、内接部１９ａが挿通孔１７ａの内面に密着して弾性部材１７が位置決めされる。これにより、冷蔵庫１の搬送時等の圧縮機１０の振動等に伴う弾性部材１７の移動を防止することができ、スリーブ１９と弾性部材１７との相対的な位置関係を維持できる。加えて、搬送時等に横揺れした際に、ベースフレーム９と弾性部材１７との摩擦による弾性部材１７の座屈を防止し、弾性部材１７の移動によるスリーブ１９との接触部分の増加を防止することができる。
【００２８】
また、内接部１９ａによって弾性部材１７の座屈を防止できるため、弾性部材１７のゴム硬度を低くすることができる。本実施形態では弾性部材１７としてＪＩＳ  Ｋ  ６２５３に基づくゴム硬度（デュロメータ  タイプＡ）が４０度以下の安価な天然ゴム（ＮＲ）を使用している。これにより、弾性部材１７による振動吸収をより大きくすることができる。弾性部材１７として合成ゴムを使用してもよい。
【００２９】
加えて、弾性部材１７の振動吸収効果の向上によって挿通孔１７ａと外周面との間を中実にすることができる。これにより、従来例のように空洞部１７ｃ（図６参照）を設ける必要がなく、弾性部材１７の高さを低くして圧縮機１０の支持構造を省スペース化することができる。従って、冷蔵庫１の容積効率を向上することができる。
【００３０】
本実施形態によると、弾性部材１７の挿通孔１７ａに挿通されるスリーブ１９の底部の内接部１９ａが挿通孔１７ａに内接して内接部１９ａよりも上方で挿通孔１９ａとの間に隙間２０が形成されるので、圧縮機１０の振動が弾性部材１７により吸収されるとともに弾性部材１７を介してスリーブ１９に伝えられる振動を低減することができる。従って、冷蔵庫１の振動を低減することができる。加えて、貯蔵室６の前面の断熱扉を開いた際の振動による騒音を低減することができる。
【００３１】
また、内接部１９ａによって搬送時等の圧縮機１０の移動を防止することができるとともに、搬送時の横揺れによる弾性部材１７の座屈を防止することができる。
【００３２】
また、挿通孔１７ａが断面円形に形成され、内接部１９ａの外周面が断面多角形から成るので、弾性部材１７とスリーブ１９との接触面積を小さくしてスリーブ１９に伝えられる振動をより低減することができる。尚、挿通孔１７ａは内接部１９ａに面した少なくとも下端部が断面円形に形成されていればよい。
【００３３】
また、弾性部材１７がゴムから成り、弾性部材１７のゴム硬度（デュロメータ  タイプＡ）が４０度以下であるので、弾性部材１７の振動吸収効果を向上して振動をより確実に吸収することができる。
【００３４】
また、弾性部材１７の挿通孔１７ａと外周面との間を中実にしたので、従来例のように空洞部１７ｃ（図６参照）を設ける必要がなく、弾性部材１７の高さを低くして圧縮機１０の支持構造を省スペース化することができる。従って、冷蔵庫１の容積効率を向上することができる。
【産業上の利用可能性】
【００３５】
本発明によると、圧縮機を備えた冷蔵庫に利用することができる。
【符号の説明】
【００３６】
１    冷蔵庫
２    断熱箱体
３    外箱
４    内箱
５    発泡断熱材
６    貯蔵室
７    機械室
９    ベースフレーム
１０    圧縮機
１１    支持部
１７    弾性部材
１７ａ  挿通孔
１７ｂ  嵌合部
１９    スリーブ
１９ａ  内接部
１９ｂ  縮径部
２１    ボルト
２２    ワッシャー
２３    ナット
【図１】
0005421052.tif 000002
【図２】
0005421052.tif 000003
【図３】
0005421052.tif 000004
【図４】
0005421052.tif 000005
【図５】
0005421052.tif 000006
【図６】
0005421052.tif 000007